(57)【要約】【課題】一方では、作業が容易であり、他方では、必要なシール効果を達成するコーナーコネクタを提供する。【解決手段】本発明は、スペーサを各々に取り付けることができる第１および第２の接続要素と、２つの接続要素をある角度で接合するコーナー要素であって、ガラス板に面する２つの側面、それぞれのスペーサに面する２つの端面、および外面を有するコーナー要素とを備えるガラス板のスペーサ用のコーナーコネクタに関する。コーナーコネクタは、金属箔が外面にまた少なくとも部分的に側面および端面に貼り付けられ、金属箔と挿入されたスペーサとの間にシールを形成する端面の領域にブチルが設けられることによって特徴付けられる。【選択図】図４
2009533573.tif 000002
【特許請求の範囲】
【請求項１】
ガラス板のスペーサ用のコーナーコネクタであって、
−スペーサを各々に取り付けることができる第１および第２の接続要素と、
−前記２つの接続要素をある角度で接合するコーナー要素であって、該コーナー要素が、前記ガラス板に面する２つの側面と、前記それぞれのスペーサに面する２つの端面と、外面とを有するコーナー要素と、
を備えるコーナーコネクタにおいて、
金属箔が前記外面にまた少なくとも部分的に前記側面および前記端面に貼り付けられ、
前記金属箔と前記挿入されたスペーサとの間にシールを形成する前記端面の領域にはブチルが設けられることを特徴とするコーナーコネクタ。
【請求項２】
前記コーナー要素の前記端面の各内部領域には、前記端面と前記スペーサとの間の間隙が外部領域に形成されるように形成された前記スペーサ用のストッパ面が設けられることを特徴とする請求項１に記載のコーナーコネクタ。
【請求項３】
前記間隙にはブチルが設けられ、前記スペーサが取り付けられたときに前記ブチルが側方に圧搾されるように、前記ブチルの量が選択されることを特徴とする請求項２に記載のコーナーコネクタ。
【請求項４】
前記接続要素と前記コーナー要素とが、好ましくはプラスチックから一片で形成されることを特徴とする請求項１〜３のいずれか１項に記載のコーナーコネクタ。
【請求項５】
前記箔が接着して貼り付けられることを特徴とする請求項１〜４のいずれか１項に記載のコーナーコネクタ。
【請求項６】
前記接続要素の各々が、前記挿入されたスペーサを保持するために少なくとも１つの保持要素を有することを特徴とする請求項１〜５のいずれか１項に記載のコーナーコネクタ。
【請求項７】
前記保持要素がラッチ要素として形成されることを特徴とする請求項６に記載のコーナーコネクタ。
【発明の詳細な説明】
【技術分野】
【０００１】
本発明は、スペーサを各々に取り付けることができる第１および第２の接続要素と、２つの接続要素をある角度で接合するコーナー要素であって、ガラス板に面する２つの側面、それぞれのスペーサに面する２つの端面、および外面を有するコーナー要素とを備えるガラス板のスペーサ用のコーナーコネクタに関する。
【背景技術】
【０００２】
このようなコーナーコネクタは一般に知られている。例えば、スペーサを取り付けることができるコーナーコネクタが特許文献１に記載されている。
【０００３】
原則として、上記スペーサは、２つのガラス板、特に断熱ガラス板をある距離に保持し、かつガラス板の間に形成された空間を外部からシールするために使用される。すなわち、スペーサの主な機能は、空気不透過性の、特に水蒸気不透過性のシールを形成することである。さらに、このシール機能は、温度が大きく変化する際にも維持されなければならない。シール効果が損なわれた場合、水分が断熱ガラス板の間の内部空間に入ってくることがあり、これにより、ガラス板が曇る。
【０００４】
上記文献に記載されているコーナーコネクタによる解決策に加えて、多くの場合、スペーサが折り曲げられることによって、スペーサの９０°の角度も実現される。しかし、このことにより、シールの完全性を損なう可能性があり、以後、ガラス板も曇る可能性がある。
【０００５】
予め利用可能な解決策は、上記従来技術と同様に、シールの問題が発生する可能性があるという欠点、または前記シールの問題により、作業が面倒になるという欠点を有する。
【特許文献１】独国特許出願公開第３１１７６１５Ａ１号明細書
【発明の開示】
【発明が解決しようとする課題】
【０００６】
この背景に対して、本発明の目的の１つは、一方では、作業が容易であり、他方では、必要なシール効果を達成するコーナーコネクタを提供することである。
【課題を解決するための手段】
【０００７】
この目的は、冒頭に記載したタイプのコーナーコネクタの場合、金属箔が外面にまた少なくとも部分的に側面および端面に貼り付けられることによって、また金属箔と挿入されたスペーサとの間にシールを形成する端面の領域にブチルが設けられることによって達成される。
【０００８】
本発明の解決手段を例示すると、特許請求の範囲に記載のコーナーコネクタである。
【発明の実施の形態】
【０００９】
本発明によるコーナーコネクタは、スペーサを単に挿入すればよく、挿入と同時に、設けられているブチルによるシールが行われるという利点を有する。さらに、設けられている箔により、一方では、コーナー要素の領域でコーナーコネクタが水蒸気に対して不透過性であるという効果、他方では、コーナー要素とブチルとの間の優れた接続が実現されるという効果が達成される。
【００１０】
好ましい実施形態の場合、コーナー要素の端面の各内部領域には、端面とスペーサとの間の間隙が外部領域に形成されるように形成されたスペーサ用のストッパ面が設けられる。
【００１１】
言い換えれば、このことは、挿入された状態において、スペーサの表面領域がコーナー要素の端面に完全に当接しないことを意味する。むしろ、スペーサはコーナー要素の内部領域のストッパ面にのみ当接するので、コーナー要素の外部領域には、端面とスペーサとの間の間隙、すなわち、ブチルがある間隙が形成される。この場合、スペーサが挿入されたときに、ブチルが間隙を介して押し出され、その結果、端面とスペーサとの間の確実なシールを実現するように、ブチルの量が選択される。
【００１２】
好ましい実施形態の場合、接続要素とコーナー要素とが一片で形成される。コーナーコネクタはプラスチックから製造されることが好ましい。
【００１３】
コーナーコネクタを他の材料から製造することも可能であることは言うまでもない。しかし、プラスチックが特に有利であることが確認されている。例えば、コーナーコネクタが金属から製造された場合、別個の金属箔をなしで済ませることが可能であるが、この理由は、金属箔が、いわば、既にコーナーコネクタの一体部であるからである。
【００１４】
好ましい実施形態の場合、箔はコーナー要素に接着して貼り付けられる。
【００１５】
この措置は、貼り付けが極めて簡単であるという利点を有する。ある他の方法で、箔をコーナー要素に貼り付けることも可能であることは言うまでもない。上記箔が貼り付けられる方法は、主に、使用される箔の厚さに依存する。μ範囲の箔の厚さの場合、接着接合が有利であることが確認されている。他方、より厚い箔は、異なる方法で貼り付けることも可能である。
【００１６】
好ましい実施形態の場合、接続要素の各々は、挿入されたスペーサを保持するために少なくとも１つの保持要素を有する。保持要素はラッチ要素として形成されることが好ましい。
【００１７】
すなわち、言い換えれば、上記保持要素がその端部位置に達したとき、スペーサは接続要素にロックされるので、前記スペーサをもはやコーナーコネクタから切り離すことができない。
【００１８】
取り外し可能な接続も可能であることは言うまでもない。
【００１９】
本発明の別の利点および改良形態は発明の詳細な説明と添付図面とから明らかになる。
【００２０】
本発明の範囲から逸脱することなく、それぞれ指定された組み合わせにおいてのみならず、他の組み合わせにおいてもまたは単独でも、上記特徴とさらに以下に説明する特徴とを用いることができることが理解される。
【００２１】
次に、図面に基づく実施形態を参照して、本発明について以下により詳細に説明する。
【実施例】
【００２２】
図１には、コーナーコネクタが、３つの異なる視点で示されており、一般に参照番号１０で示されている。コーナーコネクタはプラスチック材料から一片で形成されるが、他の材料を使用することもできることは言うまでもない。さらに、コーナーコネクタは複数の個別の部品からなることも可能である。
【００２３】
コーナーコネクタ１０は、コーナー要素１６によって９０°の角度で互いに接合される２つの接続要素１２、１４を有する。また、２つの接続要素１２、１４は１つの面にある。
【００２４】
２つの接続要素１２、１４は、例えば図２に示したように、好ましくは同一に形成され、またスペーサの形状に合わせられる断面形状を有する。特に、図２に参照番号４０で示したスペーサを取り付けることができるように、接続要素１２、１４の断面が形成される。次に、接続要素１２、１４はスペーサ４０の中空空間４４内にそれぞれ突出する。
【００２５】
コーナーコネクタ１０のコーナー要素１６は、その第１の端面２２から第２の端面２２に９０°にわたって延びる外側円弧面２０を有する。図示した実施例では、外面２０は図面に対して垂直である。
【００２６】
コーナー要素１６は、外面２０から内側に延びる２つの側面１８を有する。図１の右側の図面では、側面１８が２つの部分を備え、外側部分が外面２０に対して斜めに延びており、内側部分が外面２０に対して垂直に延びていることを見ることができる。
【００２７】
最後に、コーナー要素１６は２つの端面２２を有し、これらの端面の各々は、外面１６から内側に垂直に延び、接続要素１２と１４のそれぞれに面する。
【００２８】
図１において、コーナー要素１６の領域には２つの別のストッパ面２４を見ることができ、これらのストッパ面はコーナー要素の内部領域にあり、前記ストッパ面の各々は同様に接続要素１２と１４のそれぞれに面する。すなわち、言い換えれば、ストッパ面２４はそれぞれの端面２２に対して平行である。しかし、ストッパ面２４の各々は端面２２から離れたある距離にあるので、スペーサ４０がそれぞれの接続要素１２、１４に押圧されたとき、スペーサの端面４６は最初にストッパ面２４に当たり、この結果、スペーサの端面４６は端面２２から離れた所定の距離にある。この距離の作用については、図３と図４を参照してさらに後に説明する。
【００２９】
最後に、図１では、端面２２の領域において、それぞれの接続要素１２または１４に溝２６がそれぞれ設けられることを見ることもできる。この溝２６は接続要素１２、１４の一方の側から外面にわたって反対側に延びる。コーナーコネクタの平面図では、溝２６が、ストッパ面２４の方向に内側に延び、ほぼ接続要素１２の中央まで（すなわち、ほぼ長手方向軸線まで）達することを見ることができる。それぞれの接続要素１２、１４について、溝２６は長手方向にほぼストッパ面２４まで延びる。
【００３０】
最後に、図１の右側のコーナーコネクタ１６の図面では、ワイヤ３７によってスペーサ４０とラッチするように相互作用するラッチ要素３８を見ることもでき、ワイヤ３７は、接続要素１２、１４の周りに案内され、スペーサが挿入されたときにそれと共に移動される。例えば、スペーサがその端部位置に達したときに上記ラッチ要素３８が係合できる凹部をスペーサ４０の壁４２に設けることが可能である。
【００３１】
全体的に、コーナー要素１６は、一方のスペーサ４０から他方のスペーサへの美しい移行を実現するように形成される。このことは、端面２２の領域において、コーナー要素１６の外面２０がスペーサ４０のそれぞれの外面を有する平面にほぼ位置し、この結果、優れた移行が実現されることを意味する。さらに、図１の右側の図面から理解できるように、同じことが、スペーサ４０の側面にほぼ合わせられるコーナー要素１６の側面１８にも当てはまる。その上、結果として、端面２２はスペーサの端面４６にも合わせられる。
【００３２】
次に、図３と図４について説明する。コーナー要素１６の領域のコーナーコネクタをシールするために、金属箔が側面１８、外面２０および端面２２に接着して貼り付けられる。図３では、この箔が陰影で表されており、参照番号３２で示されている。同様に、図１の右側の図面では、端面２２の領域において箔３２が陰影で表されている。したがって、箔は側面全体にわたって延びない。しかし、事実上、側面１８のより大きいまたはより小さい領域に金属箔３２を設けることが可能である。
【００３３】
本例ではブチルであるシール材料は２つの溝２６に設けられる。このシール材料は図３に参照番号３０で示されている。上記シール材料は溝２６にあり、それぞれの端面２２の上縁まで延びる。
【００３４】
ブチル３０は、端面２２と挿入されたスペーサ４０との間のシールを実現するように意図される。
【００３５】
図４に示したように、上記スペーサが接続要素１２に取り付けられたとき、スペーサ４０の端面４６はストッパ面２４に当たり、さらに次に、端面４６はコーナー要素の端面２２から離れたある距離にある。この間隙にあるブチル３０は、スペーサ４０が挿入されたときに同時に圧搾され、参照番号３４で示したように外側に押し出される。一方では、ブチル３０のこの同時圧搾は、コーナー要素１６とスペーサ４０との間の臨界領域において、極めて優れた内部シールが実現されるという利点を有する。他方では、このシールは、適切な量のブチル材料が存在しているので温度が変化しても損なわれない。温度に関連する理由で、端面２２と端面４６との間の間隙が僅かに大きくなったとしても、このことをブチル３０が補償するので、シールは劣化しない。
【００３６】
最後に、外部領域において、スペーサ４０が、図４に参照番号４８で示した金属箔をさらに有することにも留意されたい。この箔４８は内部シールにも役立つ。
【００３７】
冒頭に既述したように、スペーサ４０は、２つの断熱ガラス板を所定の距離に保持し、かつ中間に形成された中空空間を空気または水分の侵入に対してシールするのに役立つ。図４に示したコーナーコネクタの場合、２つの断熱ガラス板は、コーナーコネクタの前後で図面に対して平行に、側面１８に対して平行に配置される。
【図面の簡単な説明】
【００３８】
【図１】３方向から見た本発明によるコーナーコネクタの図面である。
【図２】スペーサの断面図である。
【図３】部分的に取り付けられたスペーサを有する本発明によるコーナーコネクタの側面図である。
【図４】完全に取り付けられたスペーサを有する本発明によるコーナーコネクタの側面図である。
【図１】
2009533573.tif 000003
【図２】
2009533573.tif 000004
【図３】
2009533573.tif 000005
【図４】
2009533573.tif 000006
【国際調査報告】
2009533573.tif 000007
2009533573.tif 000008
2009533573.tif 000009
2009533573.tif 000010
2009533573.tif 000011
2009533573.tif 000012